(57)【要約】【課題】生体認証の照合時間を短縮し、多数の生体情報を一時に盗難される危険性を大幅に低減し、製造コストや設置コストの低廉化を図る生体認証システムを提供すること。【解決手段】生体認証システム１は共用扉施錠部２と複数の戸別認証部３と制御部４とを有し、戸別認証部３のＲＯＭ３５に記憶されている生体情報と生体情報取得装置４２により取得された利用者の生体情報を戸別認証部３の制御装置３２が照合する。また制御部４はテンキー部４３の操作によって選択された一の戸別認証部３へ利用者の生体情報を送信する。戸別認証部３の制御装置３２による照合結果は選択された戸別認証部３から共用扉施錠部２へ直接送信され、共用扉施錠部２は照合結果に応じて共用扉２１の開錠及び施錠を管理する。【選択図】図１
2007241967.tif 000002
【特許請求の範囲】
【請求項１】
共用扉の開錠及び施錠を行う共用扉施錠部と、戸別毎に設置されている複数の戸別認証部と、前記戸別認証部を選択する制御部とを有し、
利用者が前記制御部を操作することにより前記複数の戸別認証部から一の戸別認証部を選択し、当該利用者の生体情報が前記一の戸別認証部に記憶されている生体情報と照合され、当該照合結果により前記共用扉施錠部が前記共用扉の開錠及び施錠を行う生体認証システム。
【請求項２】
共用扉の開錠及び施錠を行う共用扉施錠部と、戸別毎に設置されていると共に前記共用扉施錠部と接続されている複数の戸別認証部と、前記戸別認証部と接続されている制御部とを有し、
前記制御部は、複数の前記戸別認証部の中から一の戸別認証部を選択する選択手段と、利用者の生体情報を取得する生体情報取得手段とを有し、
前記各戸別認証部は、利用者の生体情報を予め記憶するための記憶手段と前記生体情報取得手段により取得された利用者の生体情報を前記記憶手段に記憶されている生体情報と照合する照合手段とを有し、
前記制御部は前記選択手段の操作によって選択された前記一の戸別認証部へ前記生体情報取得手段により取得された利用者の生体情報を送信し、前記戸別認証部の前記照合手段は送信された利用者の生体情報と前記記憶手段に予め記憶されている利用者の生体情報とを照合すると共に照合結果を前記共用扉施錠部に送信し、前記共用扉施錠部は前記照合結果に応じて共用扉の開錠及び施錠を管理することを特徴とする生体認証システム。
【請求項３】
共用扉の開錠及び施錠を行う共用扉施錠部と、戸別毎に設置されている複数の戸別認証部と、前記共用扉施錠部と前記戸別認証部とに接続されている制御部とを有し、
前記制御部は、複数の前記戸別認証部の中から一の戸別認証部を選択する選択手段と、利用者の生体情報を取得する生体情報取得手段とを有し、
前記各戸別認証部は、利用者の生体情報を予め記憶するための記憶手段と前記生体情報取得手段により取得された利用者の生体情報を前記記憶手段に記憶されている生体情報と照合する照合手段とを有し、
前記制御部は前記選択手段の操作によって選択された前記一の戸別認証部へ前記生体情報取得手段により取得された利用者の生体情報を送信し、前記戸別認証部の前記照合手段は送信された利用者の生体情報と前記記憶手段に予め記憶されている利用者の生体情報とを照合すると共に照合結果を前記制御部に送信し、前記制御部は前記照合結果に応じて共用扉施錠部に共用扉の開錠及び施錠の管理信号を送信し、前記共用扉施錠部は前記制御部からの管理信号に応じて共用扉の開錠及び施錠を管理することを特徴とする生体認証システム。
【請求項４】
前記戸別認証部は、さらに、利用者の生体情報を取得する戸別生体情報取得手段を有し、前記照合手段により、前記戸別生体情報取得手段により取得された利用者の生体情報と前記記憶手段に記憶されている利用者の生体情報とを照合し、戸別の扉の開錠及び施錠を管理することを特徴とする請求項２又は請求項３記載の生体認証システム。
【請求項５】
前記戸別認証部の前記記憶手段は、前記制御部の前記生体情報取得手段により取得された利用者の生体情報との照合を行うための第１記憶手段と、前記戸別生体情報取得手段により取得された利用者の生体情報との照合を行うための第２記憶手段とを有している請求項４記載の生体認証システム。
【請求項６】
戸別に設置されると共に戸別扉の開錠及び施錠を行う複数の戸別認証部と、前記戸別認証部を選択する登録部とを有し、
利用者が前記登録部を操作することにより前記複数の戸別認証部から一の戸別認証部を選択し、利用者の生体情報が前記一の戸別認証部において登録され、当該生体情報を基に利用者の認証判定を行うことにより前記戸別認証部が前記戸別扉の開錠及び施錠を行う生体認証システム。
【請求項７】
戸別に設置されると共に戸別扉の開錠及び施錠を管理する複数の戸別認証部と、前記各戸別認証部と接続されている登録部とを有し、
前記各戸別認証部は、利用者の生体情報を予め記憶するための記憶手段と、利用者の生体情報を取得する戸別生体情報取得手段と、前記戸別生体情報取得手段により取得された利用者の生体情報を前記記憶手段に記憶されている生体情報と照合する照合手段とを有し、
前記登録部は、複数の前記戸別認証部の中から一の戸別認証部を選択する選択手段と、利用者の生体情報を取得する生体情報取得手段とを有し、
前記登録部は前記選択手段の操作によって選択された前記一の戸別認証部へ前記生体情報取得手段により取得された利用者の生体情報を送信し、前記選択された一の戸別認証部が前記登録部から送信された利用者の生体情報を前記記憶手段に記憶し、前記戸別生体情報取得手段により取得された利用者の生体情報と前記記憶手段に記憶されている利用者の生体情報とを前記戸別認証部の前記照合手段により照合し、戸別の扉の開錠及び施錠を管理することを特徴とする生体認証システム。
【請求項８】
各扉毎に設けられると共に扉の開錠及び施錠を管理する複数の扉施錠部と、前記複数の扉施錠部と接続されている認証部とを有し、
前記複数の扉施錠部の内、一の前記扉施錠部により取得された利用者の生体情報が前記認証部において認証判定され、当該認証判定の結果により前記扉施錠部が前記扉の開錠及び施錠を行う生体認証システム。
【請求項９】
各扉毎に設けられると共に扉の開錠及び施錠を管理する複数の扉施錠部と、前記複数の扉施錠部と接続されている認証部とを有し、
前記扉施錠部は利用者の生体情報を取得する生体情報取得手段とを有し、
前記認証部は、利用者の生体情報を予め記憶するための記憶手段と前記生体情報取得手段により取得された利用者の生体情報を前記記憶手段に記憶されている生体情報と照合する照合手段とを有し、
前記一の扉施錠部が前記生体情報取得手段により取得された利用者の生体情報を前記認証部へ送信し、前記認証部の前記照合手段が送信された利用者の生体情報と前記データベースに予め記憶されている利用者の生体情報とを照合し、前記認証部の照合結果が前記認証部から前記一の扉施錠部へ送信され、前記一の扉施錠部が前記認証部の照合結果に応じて扉の開錠及び施錠を管理することを特徴とする生体認証システム。
【発明の詳細な説明】
【技術分野】
【０００１】  本発明は、集合住宅やホテル等において生体認証を用いて個人認証を行う生体認証システムに関する。
【背景技術】
【０００２】  従来、指紋、網膜、静脈等の生体情報を用いて個人認証を行う生体認証システムは、個人毎の生体情報を予めデータベース化しておき、このデータベースに蓄積されている多数の生体情報と生体情報読取装置から取得された生体情報とをコンピュータによって照合し個人認証を行っている。【０００３】  この生体認証システムを集合住宅に設けられている共用玄関の共用扉の開錠及び施錠管理に用いる場合、予め集合住宅の住民の生体情報を予めデータベース化しておく。そして、共用扉の近傍に設けた生体情報読取装置から利用者の生体情報を取得し、データベースに蓄積されている多数の生体情報とこの利用者の生体情報とをコンピュータによって照合し、照合結果に基づいて共用扉の開錠及び施錠を管理することになる。
【発明の開示】
【発明が解決しようとする課題】
【０００４】  このような生体認証システムにおいて、住民が共用扉を開錠するためには、生体情報読取装置により取得されたこの住民の生体情報と、データベースに予め格納されている多数の生体情報とをコンピュータが照合しなければならない。このコンピュータによる照合作業は、生体情報読取装置により取得された利用者の生体情報がデータベースに予め格納されている一の生体情報と一致するか、又は全ての生体情報と一致しないことが確認できるまで行われる。このためデータベースに格納されている生体認証データの数が多くなるとコンピュータの照合時間が長時間になってしまうという問題点がある。【０００５】  さらに、集合住宅の全住人の生体情報をデータベース化してしまうと、このデータベースが盗難された場合、集合住宅の全住人の生体情報がまとめて盗難されてしまうことになる。生体情報は暗証番号と異なり容易に変更することができないため生体情報をデータベース化する場合にはそのデータベースの管理を厳重に行わなければならないという問題点がある。【０００６】  本発明は、上記問題点に鑑み、生体認証を行う際の照合時間を短縮し、また、多数の生体情報を一時に盗難される危険性を大幅に低減することができる生体認証システムを提供することを目的とする。
【課題を解決するための手段】
【０００７】  本発明に係る生体認証システムは、共用扉の開錠及び施錠を行う共用扉施錠部と、戸別毎に設置されている複数の戸別認証部と、前記戸別認証部を選択する制御部とを有し、利用者が前記制御部を操作することにより前記複数の戸別認証部から一の戸別認証部を選択し、当該利用者の生体情報が前記一の戸別認証部に記憶されている生体情報と照合され、当該照合結果により前記共用扉施錠部が前記共用扉の開錠及び施錠を行うことを特徴とする。【０００８】  さらに、本発明に係る生体認証システムは、共用扉の開錠及び施錠を行う共用扉施錠部と、戸別毎に設置されていると共に前記共用扉施錠部と接続されている複数の戸別認証部と、前記戸別認証部と接続されている制御部とを有し、前記制御部は、複数の前記戸別認証部の中から一の戸別認証部を選択する選択手段と、利用者の生体情報を取得する生体情報取得手段とを有し、前記各戸別認証部は、利用者の生体情報を予め記憶するための記憶手段と前記生体情報取得手段により取得された利用者の生体情報を前記記憶手段に記憶されている生体情報と照合する照合手段とを有し、前記制御部は前記選択手段の操作によって選択された前記一の戸別認証部へ前記生体情報取得手段により取得された利用者の生体情報を送信し、前記戸別認証部の前記照合手段は送信された利用者の生体情報と前記記憶手段に予め記憶されている利用者の生体情報とを照合すると共に照合結果を前記共用扉施錠部に送信し、前記共用扉施錠部は前記照合結果に応じて共用扉の開錠及び施錠を管理することを特徴とする。【０００９】  さらに、本発明に係る生体認証システムは、共用扉の開錠及び施錠を行う共用扉施錠部と、戸別毎に設置されている複数の戸別認証部と、前記共用扉施錠部と前記戸別認証部とに接続されている制御部とを有し、前記制御部は、複数の前記戸別認証部の中から一の戸別認証部を選択する選択手段と、利用者の生体情報を取得する生体情報取得手段とを有し、前記各戸別認証部は、利用者の生体情報を予め記憶するための記憶手段と前記生体情報取得手段により取得された利用者の生体情報を前記記憶手段に記憶されている生体情報と照合する照合手段とを有し、前記制御部は前記選択手段の操作によって選択された前記一の戸別認証部へ前記生体情報取得手段により取得された利用者の生体情報を送信し、前記戸別認証部の前記照合手段は送信された利用者の生体情報と前記記憶手段に予め記憶されている利用者の生体情報とを照合すると共に照合結果を前記制御部に送信し、前記制御部は前記照合結果に応じて共用扉施錠部に共用扉の開錠及び施錠の管理信号を送信し、前記共用扉施錠部は前記制御部からの管理信号に応じて共用扉の開錠及び施錠を管理することを特徴とする。【００１０】  さらに、本発明に係る生体認証システムは、前記戸別認証部が、さらに利用者の生体情報を取得する戸別生体情報取得手段を有し、前記照合手段により、前記戸別生体情報取得手段により取得された利用者の生体情報と前記記憶手段に記憶されている利用者の生体情報とを照合し、戸別の扉の開錠及び施錠を管理することが好ましい。【００１１】  さらに、本発明に係る生体認証システムは、前記戸別認証部の前記記憶手段が、前記制御部の前記生��情報取得手段により取得された利用者の生体情報との照合を行うための第１記憶手段と、前記戸別生体情報取得手段により取得された利用者の生体情報との照合を行うための第２記憶手段とを有していることが好ましい。【００１２】  さらに、本発明に係る生体認証システムは、戸別に設置されると共に戸別扉の開錠及び施錠を行う複数の戸別認証部と、前記戸別認証部を選択する登録部とを有し、利用者が前記登録部を操作することにより前記複数の戸別認証部から一の戸別認証部を選択し、利用者の生体情報が前記一の戸別認証部において登録され、当該生体情報を基に利用者の認証判定を行うことにより前記戸別認証部が前記戸別扉の開錠及び施錠を行うことを特徴とする。【００１３】  さらに、本発明に係る生体認証システムは、戸別に設置されると共に戸別扉の開錠及び施錠を管理する複数の戸別認証部と、前記各戸別認証部と接続されている登録部とを有し、前記各戸別認証部は、利用者の生体情報を予め記憶するための記憶手段と、利用者の生体情報を取得する戸別生体情報取得手段と、前記戸別生体情報取得手段により取得された利用者の生体情報を前記記憶手段に記憶されている生体情報と照合する照合手段とを有し、前記制御部は、複数の前記戸別認証部の中から一の戸別認証部を選択する選択手段と、利用者の生体情報を取得する生体情報取得手段とを有し、前記制御部は前記登録部の前記選択手段の操作によって選択された前記一の戸別認証部へ前記生体情報取得手段により取得された利用者の生体情報を送信し、前記選択された一の戸別認証部が前記制御部から送信された利用者の生体情報を前記記憶手段に記憶し、前記戸別生体情報取得手段により取得された利用者の生体情報と前記データベースに記憶されている利用者の生体情報とを前記戸別認証部の前記照合手段により照合し、戸別の扉の開錠及び施錠を管理することを特徴とする。【００１４】  さらに、本発明に係る生体認証システムは、各扉毎に設けられると共に扉の開錠及び施錠を管理する複数の扉施錠部と、前記複数の扉施錠部と接続されている認証部とを有し、前記複数の扉施錠部の内、一の前記扉施錠部により取得された利用者の生体情報が前記認証部において認証判定され、当該認証判定の結果により前記扉施錠部が前記扉の開錠及び施錠を行うことを特徴とする。【００１５】  さらに、本発明に係る生体認証システムは、各扉毎に設けられると共に扉の開錠及び施錠を管理する複数の扉施錠部と、前記複数の扉施錠部と接続されている認証部とを有し、前記扉施錠部は利用者の生体情報を取得する生体情報取得手段とを有し、前記認証部は、利用者の生体情報を予め記憶するための記憶手段と前記生体情報取得手段により取得された利用者の生体情報を前記記憶手段に記憶されている生体情報と照合する照合手段とを有し、前記一の扉施錠部が前記生体情報取得手段により取得された利用者の生体情報を前記認証部へ送信し、前記認証部の前記照合手段が送信された利用者の生体情報と前記データベースに予め記憶されている利用者の生体情報とを照合し、前記認証部の照合結果が前記認証部から前記一の扉施錠部へ送信され、前記一の扉施錠部が前記認証部の照合結果に応じて扉の開錠及び施錠を管理することを特徴とする。
【発明の効果】
【００１６】  請求項１記載の本発明に係る生体認証システムは、共用扉の開錠及び施錠を行うための生体認証を制御部により選択された一の戸別認証部が行う。このため、利用者の生体情報を一元的に管理する必要がないため、コンピュータ等による大規模なデータベースを必要としない。また、制御部により選択された一の戸別認証部により生体認証が行われるため、一の戸別認証部に記憶されている生体情報のみを照合の対象とする。このため共用扉の利用者全ての生体情報と照合する必要がなく、生体認証に必要な照合時間の大幅な短縮を達成することができる。さらに、コンピュータ等による大規模なデータベースではなく、戸別毎の戸別認証部に生体情報が記憶されているだけなので、集合住宅等の全利用者のデータベースを一度に盗難される可能性が極めて低い。【００１７】  請求項２記載の本発明に係る生体認証システムは、戸別認証部の照合結果が共用扉施錠部へ直接送信されるため、生体認証システム全体を非常に簡素に構成することができ、システム全体の製造費用や設置費用の低減化を図ることができる。また、共用扉施錠部の制御を比較的低廉なメンテナンス費用しか必要としない各戸別認証部が直接行っているため、システム全体のメンテナンス費用の低減化を図ることができる。【００１８】  請求項３記載の本発明に係る生体認証システムは、生体情報取得装置により取得された生体情報は制御部を通じて戸別認証部に送信され、その認証結果による信号は制御部を通じて共用扉施錠部へ送信される。このため、一の生体情報の送信に対して共用扉施錠部が開錠を行ったのか否かということを制御部に他の機器を接続することによって容易に監視することができる。【００１９】  請求項４記載の本発明に係る生体認証システムは、戸別認証部が戸別生体情報取得手段を有しているため、この戸別生体情報取得手段に生体情報を取得させることにより、上記共用扉だけではなく戸別扉の開錠及び施錠管理も行うことができる。【００２０】  請求項５記載の本発明に係る生体認証システムは、戸別認証部が第１記憶手段と第２記憶手段を有しているため、共用扉の開錠及び施錠と戸別扉の開錠及び施錠について異なる生体情報を用いることができる。【００２１】  請求項６記載の本発明に係る生体認証システムは、複数の戸別認証部から一の戸別認証部を選択する登録部を有しているため、各戸別認証部への生体情報の登録を登録部の操作によって行うことができる。【００２２】  請求項７記載の本発明に係る生体認証システムは、登録部が有する生体情報取得手段によって取得された生体情報が、一の戸別認証部の記憶手段に記憶される。このためホテル等の宿泊施設において従来使用されてきたカードキー等の代わりに生体情報により戸別扉の開錠を管理することができる。【００２３】  請求項８記載の本発明に係る生体認証システムは、複数の扉施錠部とこの複数の扉施錠部と接続されている認証部を有しているため、単一の認証部により複数の扉施錠部の認証判定を行うことができる。【００２４】  請求項９記載の本発明に係る生体認証システムは、複数の扉施錠部が有する生体情報取得手段によって取得された生体情報が、予め認証部の記憶手段に記憶されている生体情報と照合されるため、扉施錠部に生体情報の認証判定を行うための記憶手段を必要としない。
【発明を実施するための最良の形態】
【００２５】  以下、図１ないし図３を参照しつつ本発明に係る第１実施形態の生体認証システム１について詳細に説明する。この生体認証システム１は主に集合住宅やビル等に使用される生体認証システムである。【００２６】  図１に示すように本実施形態の生体認証システム１は、共用扉２１の開錠及び施錠を管理する共用扉施錠部２と、戸別毎に設置されていると共に共用扉施錠部２と接続されている複数の戸別認証部３と、戸別認証部３と接続されている制御部４とを有している。制御部４は複数の戸別認証部３の中から一の戸別認証部３を選択する選択手段であるスイッチャ４１及びテンキー部４３と、利用者の生体情報を取得する生体情報取得手段である生体情報取得装置４２とを有している。【００２７】  図２に示すように、各戸別認証部３は利用者の生体情報を予め記憶するための記憶手段であるＲＯＭ３５と生体情報取得装置４２により取得された利用者の生体情報をＲＯＭ３５に記憶されている生体情報と照合する照合手段である制御装置３２とを有している。そして、制御部４は選択手段であるテンキー部４３の操作によって選択された一の戸別認証部３へ生体情報取得装置４２により取得された利用者の生体情報を送信し、戸別認証部３の照合手段である制御装置３２は送信された利用者の生体情報とＲＯＭ３５に予め記憶されている利用者の生体情報とを照合すると共に照合結果を共用扉施錠部２に送信し、共用扉施錠部２は照合結果に応じて共用扉の開錠及び施錠を管理する。【００２８】  共用扉２１は共用玄関（エントランス）に設けられている。
共用扉施錠部２は共用扉２１に取付けられている電子ロック装置であり、戸別認証部３からの送信信号により共用扉２１の施錠及び開錠を行う。なお、共用扉施錠部２は開錠後一定時間経過すると自動的に共用扉２１を施錠する。【００２９】  戸別扉３１は各戸の玄関に設けられている。この戸別扉３１は本実施形態において集合住宅の各戸の扉である。【００３０】  戸別認証部３は戸別扉３１に設置されている。この戸別認証部３は、共用扉施錠部２及び後述するスイッチャ４１と接続されている制御装置３２と、制御装置３２へ生体情報を提供する戸別生体情報取得装置３３と、制御装置３２の生体情報の照合に用いるために生体情報を予め記憶するためのＲＯＭ３５と、制御装置３２からの制御信号により戸別の扉３１の施錠及び開錠を行う戸別扉施錠部３４とを有している。【００３１】  制御装置３２は戸別生体情報取得装置３３や後述する制御部４の生体情報取得装置４２により取得された生体情報をＲＯＭ３５内に記憶されている生体情報と照合する。また制御装置３２は戸別生体情報取得装置３３により取得された生体情報をＲＯＭ３５内へ記憶させる。さらに、制御装置３２は共用扉施錠部２に対して生体情報の認証結果の送信を行う。【００３２】  戸別生体情報取得装置３３は赤外線カメラを用いて利用者の指の静脈情報を取得する装置である。図２において、符号３３ａにより示されるのは利用者の指の挿入口である。【００３３】  戸別施錠部３４は戸別扉３１に設けられている電子ロック装置であり、制御装置３２の生体情報の認証結果に基づき開錠及び施錠が行われる。なお、戸別施錠部３４は開錠後一定時間経過すると自動的に戸別扉３１を施錠する。【００３４】  ＲＯＭ３５は、第１記憶手段である第１記憶エリア３６と、第２記憶手段である第２記憶エリア３７とを有している。第１記憶エリア３６は戸別施錠部３４の開錠を行うための利用者の生体情報を記憶するための記憶エリアであり、第２記憶エリアは共用扉施錠部２の開錠を行うための利用者の生体情報を記憶するための記憶エリアである。【００３５】  制御部４は共用扉２１が設置されている共用玄関に設置されている。制御部４は、選択手段であるスイッチャ４１と、スイッチャ４１の操作部を構成するテンキー４３と、生体情報を取得するための生体情報取得装置４２とを有している。【００３６】  スイッチャ４１は信号の送受信先を切換える装置である。このスイッチャ４１は、テンキー４３より特定の部屋番号を入力することにより、当該部屋番号の部屋の扉３１に取付けられている戸別認証部３を選択する。そして、このスイッチャ４１により選択された一の戸別認証部３へ生体情報取得装置４２により取得された生体情報が送信される。【００３７】  生体情報取得装置４２は生体情報取得装置３３と同様の装置であり、赤外線カメラを用いて利用者の指の静脈情報を取得する装置である。図１において、符号４２ａにより示されるのは利用者の指の挿入口である。【００３８】  以下、本実施形態の作用効果を説明する。
最初に、この生体認証システム１の利用者（各戸の住民）の生体情報の登録作業について説明する。この登録作業は、利用者である各戸の住民が自己の部屋に設けられている戸別認証部３により行う。即ち、利用者は自己の住居部の戸別扉３１に設置されている戸別生体情報取得装置３２の挿入口３２ａに指を挿入し生体情報を取得させ、制御装置３２によってＲＯＭ３５に記憶させる。なお、ＲＯＭ３５への生体情報の記憶は、第１記憶エリア３６又は第２記憶エリア３７のいずれかを戸別認証部３に設けられている操作ボタン（図示せず）を利用者が操作することにより選択することができる。利用者は自己の両手の指の中から１本の指を選んでその指を挿入口３２ａに挿入し第１記憶エリア３６に記憶させる。次に他の１本の指を選んでその指を挿入口３２ａに挿入し第２記憶エリア３７に記憶させる。このように、第１記憶エリア３６と第２記憶エリア３７に記憶させる指を変えることにより、万一戸別認証部３と制御部４とを接続している通信回線から生体情報が流出した場合でも、第三者が当該生体情報を用いて戸別扉３１を開錠することを防止することができる。以下、第１記憶エリア３６に親指の生体情報を記憶させ、第２記憶エリア３７に中指の生体情報を記憶させたことを前提として説明する。【００３９】  次に、利用者が共用玄関から集合住宅に入ろうとする場合について説明する。最初に、利用者は共用玄関の共用扉２１の近傍に設置されている制御部４のテンキー４３を用いて自己の部屋番号を入力する。テンキー４３により部屋番号が入力されると、スイッチャ４１は生体情報取得装置４２からの生体情報の送信先をその部屋番号に対応する一の戸別認証部３へと切換える。次に、利用者が挿入口４２ａに中指を挿入すると、生体情報取得装置４２は当該中指の静脈による生体情報をスイッチャ４１が選択した一の戸別認証部３へ送信する。【００４０】  この利用者の部屋の戸別扉３１に設けられている戸別認証部３へ送信された中指の生体情報は、戸別認証部において照合がなされる。即ち、戸別認証部３の制御装置３２は、生体情報取得装置４２から生体情報が送信されてきた場合には、ＲＯＭ３５内の第２記憶エリア３７に記憶されている複数の生体情報と生体情報取得装置４２から送信されてきた生体情報とを照合する。この中指の生体情報は、上述した登録作業によりＲＯＭ３５の第２記憶エリア３７に記憶されているため、この照合により本人の指と確認される。照合結果は開錠信号となり共用扉施錠部２へ直接送信され共用扉２１が開錠される。なお、ＲＯＭ３５内の第２記憶エリア３７に記憶されていない利用者が挿入口４２ａに指を挿入した場合には、戸別認証部３の制御装置３２は開錠信号を共用扉施錠部２に送信せず、共用扉２１は開錠されない。【００４１】  次に、利用者が自己の部屋に入ろうとする場合について説明する。利用者は戸別扉３１に設置されている戸別認証部３の戸別生体情報取得装置３２の挿入口３２ａに親指を挿入する。この親指の生体情報は、上述した登録作業によりＲＯＭ３５の第１記憶エリア３６に記憶されているため、この照合により本人の指と確認される。照合結果は開錠信号となり戸別扉施錠部３４へ送信され戸別扉３１が開錠される。なお、ＲＯＭ３５内の第１記憶エリア３６に記憶されていない利用者が挿入口３２ａに指を挿入した場合には、戸別認証部３の制御装置３２は開錠信号を戸別扉施錠部２４に送信せず、戸別扉３１は開錠されない。【００４２】  以上のように、本実施形態の生体認証システム１においては、共用扉２１の開錠及び施錠を行うための生体認証を制御部４により選択された一の戸別認証部３が行う。このため、利用者の生体情報を一元的に管理する必要がないため、コンピュータ等による大規模なデータベースを必要としない。また、制御部４により選択された一の戸別認証部３により生体認証が行われるため、一の戸別認証部３に記憶されている生体情報のみを照合の対象とする。このため共用扉２１の利用者全ての生体情報と照合する必要がなく、生体認証に必要な照合時間の大幅な短縮を達成することができる。さらに、コンピュータ等による大規模なデータベースではなく、戸別毎の戸別認証部３に生体情報が記憶されているだけなので、集合住宅等の全利用者のデータベースを一度に盗難される可能性が極めて低い。【００４３】  さらに、本実施形態の生体認証システム１は、戸別認証部３の照合結果による開錠信号が共用扉施錠部２へ直接送信されるため、生体認証システム１全体を非常に簡素に構成することができ、システム全体の製造費用や設置費用の低減化を図ることができる。また、共用扉施錠部２の制御を比較的低廉なメンテナンス費用しか必要としない各戸別認証部３が直接行っているため、システム全体のメンテナンス費用の低減化を図ることができる。【００４４】  上記第１実施形態の場合には、戸別認証部３の照合結果による開錠信号が共用扉施錠部２へ直接送信されるように構成されているが、図３に示すように、各戸別認証部３の照合結果による信号を、制御部４を経由して共用扉施錠部２へ管理信号として送信するように構成することもできる。この場合、生体情報取得装置４２により取得された生体情報は制御部４のスイッチャ４１を通じて戸別認証部３に送信され、その認証結果による信号は制御部４のスイッチャ４１を通じて管理信号として共用扉施錠部２へ送信される。このため、一の生体情報の送信に対して管理信号が送信されたのか否かということがスイッチャ４１のみを監視することにより判断できる。例えば、このスイッチャ４１への信号送受信の履歴を記憶する記憶装置をスイッチャ４１に取付けておけば、生体情報が送信されたにもかかわらず管理信号が送られなかったという異常な状態を記録に残すことができる。また、このような異常な状態を監視するために、所定回数の異常状態を検知すると警報を発する警報装置をスイッチャ４１に接続したり、警備会社に異常状態を通報する通信装置をスイッチャ４１に接続したりすることが可能になる。【００４５】  次に、本発明に係る第２実施形態の生体認証システム１ａを説明する。この生体認証システム１ａはホテル等の宿泊施設に使用される。図４に示すように、この生体認証システム１ａは、複数の戸別認証部３ａと、これら複数の戸別認証部と接続されている一つの登録部５とから構成されている。【００４６】  戸別認証部３ａはホテルの各戸別扉３１に設けられており、戸別扉３１の施錠及び開錠を行う。こ��戸別認証部３ａは上記第１実施形態における戸別認証部３と略同様の構成を有しているが、戸別認証部３ａの生体情報取得装置（図示せず）からは利用者の生体情報を戸別認証部３ａの生体情報の記憶手段であるＲＯＭ（図示せず）に記憶させることはできない点が異なる。このＲＯＭに利用者（宿泊者）の生体情報を記憶させるためには、後述する登録部５を通じて行わなければならない。【００４７】  登録部５はホテル等の宿泊受付用のカウンタに設置されており、ホテル等の従業員によって操作される。この登録部５は、複数の戸別認証部３ａから一の戸別認証部３ａを選択するためのスイッチャ５１と、生体情報取得装置５２と、スイッチャ５１を操作するためのテンキー５３とを有する。テンキー５３により部屋番号が入力されると、スイッチャ５１は、生体情報取得装置５からの生体情報の送信先をその部屋番号に対応する一の戸別認証部３ａに切換える。【００４８】  以下、本実施形態の生体認証システム１ａの作用効果を説明する。
利用者（宿泊者）がホテル等へ宿泊する場合、ホテル等の従業員は、この利用者が宿泊する部屋番号をテンキー５３によって入力する。スイッチャ５１が生体情報取得装置５２からの生体情報の送信先をその部屋番号に対応する一の戸別認証部３ａに切換える。次に、利用者（宿泊者）の特定の指を挿入口５２ａに挿入すると生体情報取得装置５２は当該指の静脈による生体情報をスイッチャ５１が選択した一の戸別認証部３ａへ送信する。そして、この一の戸別認証部３ａのＲＯＭに当該部屋の宿泊者の生体情報が記憶される。なお、このＲＯＭ内に記憶されている生体情報は、スイッチャ５１により一の戸別認証部３ａが選択された後、所定時間内に生体情報取得装置５２から生体情報が送信されない場合には戸別認証部３ａの制御部（図示せず）により消去される。【００４９】  本実施形態によれば、ホテル等において宿泊受付用カウンタからすべての部屋の戸別認証部３ａに各部屋の宿泊者の生体情報を記憶（登録）させ、あるいは消去（抹消）させることができる。このため従来のように利用者（宿泊者）がカードキー等を使用する必要がない。また、宿泊者の生体情報はＲＯＭに一時的に記憶されるだけであり、コンピュータ等によるデータベースとして残らないため、多数の宿泊者の生体情報が一度に盗難されるおそれがない。【００５０】  次に、本発明に係る第３実施形態の生体認証システム１ｂを説明する。この生体認証システム１ｂは一般的な家屋の複数の扉に使用される。図５に示すように、この生体認証システム１ａは、複数の扉６１にそれぞれ設けられている扉施錠部６と、一の扉３１（例えば玄関扉）に設けられている認証部３ｂとを有している。複数の戸扉施錠部６は、それぞれ認証部３ｂと接続されている。なお、認証部３ｂは上記第１実施形態において説明した戸別認証部３と略同様の構成を有する。【００５１】  各扉施錠部６は生体情報取得装置（図示せず）を有しており、この生体情報取得装置で取得された生体情報は認証部３ｂの制御装置３２に送信される。そして、送信された生体情報は認証部３ｂのＲＯＭ３５に予め記憶されている生体情報と照合される。【００５２】  生体認証システム１ｂは、利用者が一の扉６１を開錠しようとしてその扉に設けられている扉施錠部６の生体情報取得装置に指を入れると、その指の生体情報が認証部３ｂに送信され制御装置３２により照合される。そして認証部３ｂからの照合結果が開錠信号としてこの一の扉施錠部６へ送信され、扉６１が開錠されることになる。【００５３】  本実施形態においては、一つの認証部３が全ての扉施錠部６における生体情報の照合を行うため、システム全体の製造コストの低廉化を図ることができる。また、利用者は一つの認証部３ｂに対して生体情報の登録作業を行うことにより、全ての扉施錠部６の開錠ができるため利便性が高いという利点がある。【００５４】  なお、上記各実施形態において、制御部、認証部、登録部、施錠部等の各装置間の接続は集合住宅やホテル等に設置されている既存のインターホンの音声用回線や外来者を写すカメラモニター用回線等を共用することにより、さらに設置費用の低減化を図ることができる。また、このような各装置間の接続は有線接続だけではなく無線装置を用いた無線による接続も含み、この場合には配線設置費用を不要とすることができる。
【図面の簡単な説明】
【００５５】
【図１】本発明に係る第１実施形態の生体認証システム１の構成を示す概念図である。
【図２】図１に示す生体認証システム１の戸別認証部３の構成を示す概念図である。
【図３】図１に示す生体認証システム１の他の接続構成を示す概念図である。
【図４】本発明に係る第２実施形態の生体認証システム１ａの構成を示す概念図である。
【図５】本発明に係る第３実施形態の生体認証システム１ｂの構成を示す概念図である。
【符号の説明】
【００５６】１、１ａ、１ｂ  生体認証システム
２  共用扉施錠部
２１  共用扉
３、３ａ、３ｂ  戸別認証部
３１  戸別扉
３２  制御装置
３３  戸別生体情報取得装置
３３ａ  挿入口
３４、６  戸別扉施錠部
３５  ＲＯＭ
３６  第１記憶エリア
３７  第２記憶エリア
４  制御部
４１  スイッチャ
４２  生体情報取得装置
４２ａ  挿入口
４３  テンキー部
５  登録部
５１  スイッチャ
５２  生体情報取得装置
５２ａ  挿入口
５３  テンキー部
６１  扉
【図１】
2007241967.tif 000003
【図２】
2007241967.tif 000004
【図３】
2007241967.tif 000005
【図４】
2007241967.tif 000006
【図５】
2007241967.tif 000007